(57)【要約】【課題】胴内排紙空間に配置した胴内後処理装置の上面に排出された用紙を認識し易くし、用紙へのアクセス性を向上させる。【解決手段】後処理装置５００の上面を排紙トレイとするとともに、その排紙トレイ上の用紙を検出する用紙検知手段と、後処理装置５００に配置され前記排紙トレイ上の用紙有無を表示する表示手段１１とを有することにより、後処理装置上面の排紙トレイ上に用紙が排出されたときに表示手段１１により表示することで、排紙トレイ上に用紙があることに容易に気付くことができる。【選択図】図１
2020111059.tif 000002
【特許請求の範囲】
【請求項１】
装置本体内に開放空間として設けた胴内空間部に後処理装置を配置した画像形成装置において、
前記後処理装置の上面を排紙トレイとするとともに、
前記排紙トレイ上の用紙を検出する用紙検知手段と、
前記後処理装置に配置され前記排紙トレイ上の用紙有無を表示する表示手段とを有することを特徴とする画像形成装置。
【請求項２】
前記用紙検知手段が前記後処理装置に設けられていることを特徴とする、請求項１に記載の画像形成装置。
【請求項３】
前記後処理装置に異常が発生した場合、前記表示手段により異常発生を報知することを特徴とする、請求項１又は２に記載の画像形成装置。
【請求項４】
前記後処理装置への用紙導入路の入口付近に設けられて用紙を検出する入口センサを有し、該入口センサで用紙有りを検出してから所定時間経過しても用紙無しへ変わらなかった場合に、後処理装置内で用紙が滞留した異常発生と判別し、前記表示手段により異常発生を報知することを特徴とする請求項３に記載の画像形成装置。
【請求項５】
前記用紙検知手段が前記排紙トレイ上の用紙を検出した場合と、前記後処理装置に異常が発生した場合とで、前記表示手段による表示方法を異ならせることを特徴とする請求項３又は４に記載の画像形成装置。
【請求項６】
前記後処理装置が画像形成装置本体に脱着可能に設けられていることを特徴とする請求項１〜５のいずれか１項に記載の画像形成装置。
【発明の詳細な説明】
【技術分野】
【０００１】
本発明は、胴内排紙空間に後処理装置を備えた画像形成装置に関する。
【背景技術】
【０００２】
プリンタ・複写機・ファクシミリなどの画像形成装置においては、省スペース化、高速化に伴い、装置本体内に開放空間として設けた排紙スペースに画像記録後の用紙を排出する、いわゆる胴内排紙型の装置が主流となっている。さらに、パンチ処理やステープル処理などを行う後処理装置を胴内排紙空間に配置した胴内後処理装置の普及も進んでいる。
【０００３】
しかし、胴内排紙空間の大きさには限度があり、その空間内に後処理装置等のオプションを詰め込むことで、胴内空間に排紙された用紙へのアクセス性が悪くなっている。
特開２０１４−１０６２９４号公報（特許文献１）には、胴内排紙空間に排出される後処理を行わない用紙の積載可能枚数を多くするために、胴内後処理装置の上面を排紙トレイとする構成が開示されている。
【発明の概要】
【発明が解決しようとする課題】
【０００４】
しかしながら、上記特許文献１に記載のものでは、胴内後処理装置の上面に排出された用紙が認識しづらく、使い勝手が良くないという問題があった。
そこで、本発明は、胴内排紙空間に配置した胴内後処理装置の上面に排出された用紙を認識し易く、用紙へのアクセス性を向上させ、操作性に優れた画像形成装置を提供することを課題とする。
【課題を解決するための手段】
【０００５】
この課題を解決するため、本発明は、装置本体内に開放空間として設けた胴内空間部に後処理装置を配置した画像形成装置において、前記後処理装置の上面を排紙トレイとするとともに、前記排紙トレイ上の用紙を検出する用紙検知手段と、前記後処理装置に配置され前記排紙トレイ上の用紙有無を表示する表示手段とを有することを特徴とする。
【発明の効果】
【０００６】
本発明の画像形成装置によれば、後処理装置上面の排紙トレイ上に用紙が排出されたときに表示手段により表示することで、排紙トレイ上に用紙があることに容易に気付くことができる。したがって、胴内排紙空間に配置した後処理装置の上面に排出された用紙を認識し易くなり、用紙へのアクセス性が向上し、操作性に優れた画像形成装置とすることができる。
【図面の簡単な説明】
【０００７】
【図１】本発明の実施形態に係る複写機の構成を模式的に示す正面図である。
【図２】胴内排紙空間に配置された後処理装置を説明する断面図である。
【図３】胴内排紙空間に配置された後処理装置を説明する断面図である。
【図４】メンテナンス時に後処理装置を移動させた様子を示す断面図である。
【発明を実施するための形態】
【０００８】
図１は、本発明の実施形態に係る画像形成装置の一例である複写機の構成を模式的に示す正面図である。この図に示した複写機は、画像読取部１００、画像形成部２００、給紙部３００等を備えている。画像読取部１００の上には、原稿を読取位置に搬送する自動原稿搬送装置（ＡＤＦ）１１０が配置されている。
【０００９】
本実施形態では、画像読取部１００と画像形成部２００との間に、外部に開放された空間が設けられ、胴内排紙空間４００を形成している。そして、その胴内排紙空間４００に後処理装置５００が配置されている。画像形成部２００は、周知の電子写真方式を用いて画像形成するものであり、画像形成部の詳しい説明は省略する。排紙スペースを胴内排紙空間４００に設けた本実施形態では、画像読取部１００で読み取った原稿画像、あるいは、外部のパソコン等から送られた画像、あるいは、ファクシミリ機能により電話回線を介して受信した画像等を、画像形成部２００にて給紙部３００から搬送された転写紙等の記録媒体（以下、用紙と記す）上に形成し、胴内排紙空間４００に排出する。
【００１０】
図２及び図３は、胴内排紙空間４００に配置された後処理装置５００を説明する断面図である。
図２において、胴内排紙空間４００の右奥部には、上下２つの排紙ローラ８１，８２が配置されている。また、用紙搬送路の途中に切替爪８３があり、この切替爪８３で、画像形成部２００から搬送されてくる画像形成後の用紙を、下段排紙ローラ８１または上段排紙ローラ８２へと搬送方向を切り替える。図１にも示すように、下段排紙ローラ８１でＢ１方向に搬送された用紙は後処理装置５００へと送られる。上段排紙ローラ８２で搬送された用紙は、図１に示すＢ２方向に送られる。
【００１１】
本例の後処理装置５００は、下段排紙ローラ８１から排紙された複数の用紙を束ねて綴じ処理等を行うものである。後処理装置５００は、下段排紙ローラ８１から排出されてきた画像形成済みの用紙を受け入れる導入経路１と、用紙を中間積載する搬送経路２とを有する。導入経路１には、入口ローラ１０、入口センサＳ１が配置され、用紙が後処理装置５００内へ搬入されたことを検知する。入口ローラ１０の下流には、排紙ローラ１２が配置され、用紙はこれを経て搬送経路２へと搬送される。搬送経路２には放出ローラ２６、排紙センサＳ２が配置される。放出ローラ２６の外側には、延長トレイ６を有する排紙トレイ５が設けられている。
【００１２】
排紙トレイ５への排紙口の上方付近には、用紙押さえ部材４０が設けられている。用紙押さえ部材４０は、排紙トレイ５上に積載される用紙の中央位置付近で回動自由となるよう後処理装置５００の筐体に支持され、先端部がスタックされた用紙の上面に接するよう配置されている。排紙トレイ５上の積載枚数の増大により用紙の上面高さが上昇して、上面検出センサがオンすると、昇降手段により排紙トレイ５を下降させる。
【００１３】
搬送経路２には、ステープルトレイ２１との間で接離動作が可能な叩きローラ１５が配置される。符号４１は戻しコロ、符号２４，２５は基準フェンス、符号２２，２３はジョガーフェンス、符号５０はステープラである。用紙束は、ステープラ５０が用紙幅方向に移動して用紙束の下縁部の適所をステープルすることにより綴じられ、放出ローラ２６と従動ローラ２７とにより挟持されて排紙トレイ５上に排紙される。
【００１４】
一方、上段排紙ローラ８２からは、後処理装置５００による後処理を必要としない用紙が排出される。後処理装置５００は筐体の一部として上カバー６０を有している。上段排紙ローラ８２から排出された用紙が比較的小さなサイズの場合は、排出された用紙を上カバー６０部で収容する。すなわち、上カバー６０が排紙トレイとして機能する。上カバー６０上に排出された用紙を検知するために、用紙検知センサＳ３が設けられている。用紙検知センサＳ３としては、例えばフォトインタラプタを用いることができるが、これに限らず任意なものを採用可能である。
【００１５】
上段排紙ローラ８２から排出される用紙が比較的大きなサイズの場合は、図３に示すように、排紙トレイ５を昇降手段により上カバー６０と略同等な高さまで上昇させる。そして、排出された用紙Ｐを上カバー６０と排紙トレイ５とによって収容する。
【００１６】
本実施形態の構成は、収容トレイを別途設ける構成に比べて、収容トレイの厚みや、収容トレイと後処理装置５００の設置間隔により、胴内排紙空間４００のスペースが使用されることがなく、上段排紙ローラ８２から排紙された用紙を積載することのできるスペースが増える。よって、上段排紙ローラ８２より排紙される、後処理を行わない用紙の積載可能枚数を多くすることができる。
【００１７】
上段排紙ローラ８２から排紙された用紙の収容手段は後処理装置５００の上カバー６０と排紙トレイ５とを利用するものであり、コストをかけずに積載枚数を増加させることができる。また、比較的大きなサイズの用紙Ｐを収容する場合に、排紙トレイ５を上カバー６０と略同等な高さまで移動させる移動手段として、後処理装置５００の既設の昇降手段を利用するので、コストをかけずに積載枚数を増加させることができる。
【００１８】
ここで、図２及び図３からも分かるように、胴内排紙空間４００に後処理装置５００を配置した構成においては、胴内排紙空間４００内の多くのスペースを後処理装置５００が占有することになる。また、排紙トレイとしても機能する上カバー６０は、胴内排紙空間４００の上端部に近く、画像読取部１００のすぐ下に位置している。その結果、上カバー６０上に排出された用紙の視認性は、優れたものとは言えない。
【００１９】
そこで、本実施形態においては、図１に符号１１で示す表示手段を、後処理装置５００の前面、複写機本体の前方から視認可能な位置に設けている。表示手段１１としては、例えばＬＥＤランプを挙げることができるが、ＬＥＤに限らず、任意なものを使用可能である。
【００２０】
上記の表示手段であるＬＥＤランプ１１は、後処理装置５００内に配置された制御部５０１（図３に示す）に接続されている。また、制御部５０１には、前述した上カバー６０上に排出された用紙を検知するための用紙検知センサＳ３も接続されている。そして、制御部５０１は、後処理装置５００上面の排紙トレイである上カバー６０上に用紙があることを用紙検知センサＳ３で検知したとき、ＬＥＤランプ１１を点灯させるように表示手段を制御する。これにより、ユーザは、後処理装置５００上面の排紙トレイである上カバー６０上に用紙が排出されたときに、ＬＥＤランプ１１の点灯により容易に気付くことができる。すなわち、胴内排紙空間に配置した後処理装置の上面に排出された用紙を認識し易くなり、用紙へのアクセス性が向上し、操作性に優れたものとなる。
【００２１】
とこで、本実施形態においては、後処理装置５００と排紙トレイである上カバー６０は一体のユニットとして形成されており、複写機の本体から一体的に着脱可能となっている。また、後処理装置５００等のメンテナンス時には、図４に示すように、図中矢印Ｌの方向に後処理装置５００を移動させることができる。
【００２２】
本実施形態では、後処理装置５００に用紙検知センサＳ３を設けたことで、後処理装置５００を移動させた状態でも、上カバー６０上の用紙の検知を行うことができるため、メンテナンス時にも用紙の検知および有無を（ＬＥＤランプ１１により）正しく表示することが可能となる。
【００２３】
そして、本実施形態では、後処理装置５００に異常が発生した場合には、ＬＥＤランプ１１を用いて異常発生を知らせることができる。例えば、後処理装置５００内で用紙のジャムが発生した場合、ＬＥＤランプ１１を点滅させて異常発生を報知する。
【００２４】
具体的には、制御部５０１に入口センサＳ１を接続した構成とする。下段排紙ローラ８１から後処理装置５００に用紙を送り込む場合（用紙に後処理を実施するモード時）、入口センサＳ１で用紙の有無を検出し、所定時間経過しても用紙有りから無しへ変わらなかった場合には、用紙が後処理装置５００内でジャムした（滞留した）と判別し、ＬＥＤランプ１１を点滅させるように制御部５０１が制御する。
【００２５】
本実施形態では、後処理装置の排紙トレイ（上カバー６０）上に用紙があることを知らせるための表示手段（ＬＥＤランプ１１）を用いて異常発生を知らせることができるので、
異常報知のために追加の表示手段を設ける必要がなく、低コストに後処理装置の操作性を向上することができる。
【００２６】
ここまで説明したように、本発明においては、後処理装置の上面を排紙トレイとするとともに、その排紙トレイ上の用紙を検出する用紙検知手段と、後処理装置に配置され前記排紙トレイ上の用紙有無を表示する表示手段とを有することにより、後処理装置上面の排紙トレイ上に用紙が排出されたときに表示手段により表示することで、排紙トレイ上に用紙があることに容易に気付くことができる。したがって、胴内排紙空間に配置した後処理装置の上面に排出された用紙を認識し易くなり、用紙へのアクセス性が向上し、操作性に優れた画像形成装置とすることができる。
【００２７】
また、排紙トレイ上の用紙を検出する用紙検知手段が後処理装置に設けられていることにより、後処理装置を移動させた場合でも用紙有りの表示を行うことが可能となる。
また、後処理装置に異常が発生した場合、表示手段により異常発生を報知することで、ユーザに後処理装置の異常を知らせることができる。また、異常報知のために追加の表示手段を設ける必要がなく、低コストに後処理装置の操作性を向上することができる。
【００２８】
また、入口センサで用紙有りを検出してから所定時間経過しても用紙無しへ変わらなかった場合に、後処理装置内で用紙が滞留した異常発生と判別し、前記表示手段により異常発生を報知することで後処理装置内における用紙ジャムを報知することができる。
【００２９】
また、排紙トレイ上に用紙を検出した場合と、後処理装置に異常が発生した場合とで表示手段による表示方法を異ならせることで、同じ表示手段を用いても用紙有りと異常発生とを区別して知らせることができる。
また、後処理装置が画像形成装置本体に脱着可能に設けられていることで、後処理装置あるいは画像形成装置本体のメンテナンスを容易に行うことが可能となる。
【００３０】
以上、本発明を図示例に基づき説明したが、本発明はこれに限定されるものではない。例えば、後処理装置としては綴じ処理を行うものに限らず、仕分け処理等を行うものでもよい。また、複数の後処理が可能なものであっても良い。後処理装置の構成や形態も任意なもので構わない。後処理装置に設ける表示手段も、任意なものを採用可能である。
【００３１】
画像形成装置としては、本発明を適用可能であれば任意な構成を採用可能である。画像形成装置としては複写機に限らず、プリンタやファクシミリあるいは複数の機能を備える複合機であっても良い。
【符号の説明】
【００３２】
１１        ＬＥＤランプ（表示手段）
６０        上カバー（排紙トレイ）
１００      画像読取部
１１０      自動原稿搬送装置
２００      画像形成部
３００      給紙部
４００      胴内排紙空間
５００      後処理装置
５０１      ハロゲンヒータ（熱源）
Ｓ１        入口センサ
Ｓ２        排紙センサ
Ｓ３        用紙検知センサ（用紙検知手段）
【先行技術文献】
【特許文献】
【００３３】
【特許文献１】特開２０１４−１０６２９４号公報
【図１】
2020111059.tif 000003
【図２】
2020111059.tif 000004
【図３】
2020111059.tif 000005
【図４】
2020111059.tif 000006
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
装置本体内に開放空間として設けた胴内空間に、記録媒体が排出される排出部を備えた画像形成装置において、
前記排出部に前記記録媒体がある場合に第一の発光状態となる発光手段を有し、
前記発光手段は、画像形成装置が所定の状態にあるときには前記第一の発光状態とは異なる第二の発光状態となる、ことを特徴とする画像形成装置。
【請求項２】
前記第一の発光状態は点灯であり、前記第二の発光状態は点滅である、ことを特徴とする請求項１に記載の画像形成装置。
【請求項３】
前記発光手段は前記胴内空間内に設けられている、ことを特徴とする請求項１又は２に記載の画像形成装置。
【請求項４】
前記胴内空間に後処理装置を備え、
前記排出部は前記後処理装置に設けられており、
前記発光手段は、前記後処理装置に設けられた前記排出部に前記記録媒体がある場合に、前記第一の発光状態となる、ことを特徴とする請求項１〜３のいずれか一項に記載の画像形成装置。
【請求項５】
前記発光手段は前記後処理装置の前面に設けられている、ことを特徴とする請求項４に記載の画像形成装置。
【請求項６】
前記画像形成装置の所定の状態とは、前記後処理装置内で前記記録媒体が滞留した異常状態であって、当該異常状態のときに前記発光手段は前記第二の発光状態となる、ことを特徴とする請求項４又は５に記載の画像形成装置。
【請求項７】
前記後処理装置が画像形成装置本体に脱着可能に設けられている、ことを特徴とする請求項４〜６のいずれか一項に記載の画像形成装置。